(57)【要約】ファックスデータ伝送制御器、ファックスサーバ、及びファックスシステムとその提供方法が開示される。ファックスデータ伝送制御器は、ＰＳＴＮを通じて受信されるファックスデータを保存してファックスサーバに伝送するか、ファックス装置に伝送するか、ユーザコンピュータにも伝送しうる。ファックスサーバは、受信されるまたは送信するファックスデータをフィルタリングすることができ、内容の認証をすることもできる。
2009543502.tif 000002
【特許請求の範囲】
【請求項１】
公衆電話網（ＰＳＴＮ）を通じて外部から入力される第１ファックスデータを受信するためのＰＳＴＮインターフェース部と、
前記ＰＳＴＮインターフェース部から受信した前記第１ファックスデータを保存するための保存装置と、
前記保存装置から受信した前記第１ファックスデータをインターネットを通じてファックスサーバに伝送するためのネットワークインターフェース部と、
前記ＰＳＴＮインターフェース部、前記保存装置、及び前記ネットワークインターフェース部のファックスデータ伝送を制御するための制御部と
を備えることを特徴とする、ファックスデータ伝送制御器。
【請求項２】
公衆電話網（ＰＳＴＮ）を通じて外部から入力される第１ファックスデータを受信するためのＰＳＴＮインターフェース部と、
前記ＰＳＴＮインターフェース部から受信した前記第１ファックスデータを保存するための保存装置と、
前記保存装置から受信した前記第１ファックスデータをインターネットを通じてファックスサーバに伝送するためのネットワークインターフェース部と、
前記ＰＳＴＮインターフェース部、前記保存装置、及び前記ネットワークインターフェース部のファックスデータ伝送を制御するための制御部と
を備えることを特徴とする、ファックスデータ伝送制御器。
【請求項３】
前記ファックスデータ伝送制御器は、
前記保存装置に保存された前記第１ファックスデータを第１ユーザコンピュータに伝送するためのコンピュータインターフェース部をさらに備えることを特徴とする、請求項１に記載のファックスデータ伝送制御器。
【請求項４】
前記ファックスデータ伝送制御器は、
前記ファックスデータ伝送制御器に外装保存装置を接続するための連結部をさらに備えることを特徴とする、請求項１に記載のファックスデータ伝送制御器。
【請求項５】
前記ファックスデータ伝送制御器は、
前記制御部から出力される状態表示信号を受信して、前記ファックスデータ伝送制御器の作動状態を表示するための状態表示部をさらに備えることを特徴とする、請求項１に記載のファックスデータ伝送制御器。
【請求項６】
前記ファックスデータ伝送制御器は、
外部から前記ファックスデータ伝送制御器の環境設定に使用するデータを受信し、該受信したデータを前記制御部に出力するための入力部をさらに備えることを特徴とする、請求項１に記載のファックスデータ伝送制御器。
【請求項７】
前記ＰＳＴＮインターフェース部は、
前記ＰＳＴＮと前記ファックスデータ伝送制御器とを連結する第１ＤＢ−９端子と、
前記第１ＤＢ−９端子を通じて入出力される前記第１ファックスデータをキャプチャーするための第１キャプチャーブロックと
を備えることを特徴とする、請求項１に記載のファックスデータ伝送制御器。
【請求項８】
前記ファックスインターフェース部は、
前記ファックス装置と前記ファックスデータ伝送制御器とを連結するための第２ＤＢ−９端子と、
前記第２ＤＢ−９端子を通じて入出力される前記第２ファックスデータをキャプチャーするための第２キャプチャーブロックと
を備えることを特徴とする、請求項２に記載のファックスデータ伝送制御器。
【請求項９】
前記コンピュータインターフェース部は、
前記第１ユーザコンピュータと前記ファックスデータ伝送制御器とを連結するためのＲＳ２３２端子と、
前記ＲＳ２３２端子を通じて入出力されるファックスデータをキャプチャーするための第３キャプチャーブロックと
を備えることを特徴とする、請求項３に記載のファックスデータ伝送制御器。
【請求項１０】
前記ネットワークインターフェース部は、
前記インターネットと前記ファックスデータ伝送制御器とを連結するためのＲＪ−４５端子と、
前記ＲＪ−４５端子を通じて前記第１ファックスデータを前記ファックスサーバに伝送するためのイーサネットコントローラと
を備えることを特徴とする、請求項１に記載のファックスデータ伝送制御器。
【請求項１１】
インターネットを通じて外部と第１ファックスデータを送受信するための送受信モジュールと、
前記送受信モジュールから出力された前記第１ファックスデータを保存するための保存モジュールと、
前記保存モジュールから出力された前記第１ファックスデータを受信し、該受信された前記第１ファックスデータに含まれた発信者番号に基づいて、前記第１ファックスデータに対する受信拒否信号または受信許容信号を前記保存モジュールに出力するためのフィルタリングモジュールと
を備え、前記保存モジュールが、前記第１ファックスデータに対する前記受信許容信号を受信した場合、前記保存モジュールは、前記送受信モジュールを通じて前記保存モジュールに保存された前記第１ファックスデータを第２ユーザコンピュータから出力されたファックス要請信号に応答して、前記第２ユーザコンピュータに伝送することを特徴とする、ファックスサーバ。
【請求項１２】
前記ファックスサーバは、
前記第２ユーザコンピュータから外部に伝送する第２ファックスデータを受信し、該受信した第２ファックスデータの内容の認証のために前記第２ファックスデータを承認権者コンピュータと前記保存モジュールとに伝送するための認証モジュールをさらに備え、
前記認証モジュールは、
前記承認権者コンピュータから認証信号を受信して前記認証信号を前記保存モジュールに伝送し、
前記フィルタリングモジュールは、
前記保存モジュールから出力された前記第２ファックスデータを受信し、該受信された前記第２ファックスデータに含まれた受信者番号に基づいて、前記第２ファックスデータに対する発信拒否信号または発信許容信号を前記保存モジュールに出力し、
前記保存モジュールが、前記第２ファックスデータに対する前記認証信号及び発信許容信号を受信した場合、前記保存モジュールは、前記送受信モジュールを通じて前記保存モジュールに保存された前記第２ファックスデータをインターネットを通じて外部に伝送することを特徴とする、請求項１１に記載のファックスサーバ。
【請求項１３】
前記フィルタリングモジュールは、
前記受信拒否信号または前記受信許容信号を出力するために受信拒否ファックス番号または受信許容ファックス番号を保存するためのファックス番号保存部を備え、
前記ファックス番号保存部は、
承認権者コンピュータから前記受信拒否ファックス番号または受信許容ファックス番号を受信することを特徴とする、請求項１１に記載のファックスサーバ。
【請求項１４】
ファックスデータ伝送制御器からインターネットを通じて第１ファックスデータを受信する送受信モジュールと、
前記送受信モジュールから出力された前記第１ファックスデータを保存するための保存モジュールと、
前記保存モジュールから出力された前記第１ファックスデータを受信し、該受信された前記第１ファックスデータに含まれた発信者番号に基づいて、前記第１ファックスデータに対する受信拒否信号または受信許容信号を前記保存モジュールに出力するためのフィルタリングモジュールと、を備え、
前記保存モジュールが、前記第１ファックスデータに対する前記受信許容信号を受信した場合、前記保存モジュールは、前記送受信モジュールを通じて前記保存モジュールに保存された前記第１ファックスデータを第２ユーザコンピュータから出力されたファックス要請信号に応答して、前記第２ユーザコンピュータに伝送することを特徴とする、ファックスシステム。
【請求項１５】
前記ファックスデータ伝送制御器は、ＰＳＴＮを通じて外部から入力される前記第１ファックスデータを受信するためのＰＳＴＮインターフェース部と、
前記ＰＳＴＮインターフェース部から出力された前記第１ファックスデータを保存するための保存装置と、
前記保存装置から出力された前記第１ファックスデータを前記インターネットを通じて前記送受信モジュールに伝送するためのネットワークインターフェース部と、
前記ＰＳＴＮインターフェース部、前記保存装置、及び前記ネットワークインターフェース部のファックスデータ伝送を制御するための制御部と、を備えることを特徴とする、請求項１４に記載のファックスシステム。
【請求項１６】
前記ファックスデータ伝送制御器は、ファックス装置から出力される第２ファックスデータを受信するためのファックスインターフェース部をさらに備え、
前記保存装置は、前記ファックスインターフェース部から出力された前記第２ファックスデータを保存し、
前記ネットワークインターフェース部は、前記保存装置から出力された前記第２ファックスデータを前記インターネットを通じて前記送受信モジュールに伝送し、
前記保存モジュールは、前記送受信モジュールから出力された前記第２ファックスデータを保存し、
前記フィルタリングモジュールは、前記保存モジュールから出力された前記第２ファックスデータを受信し、該受信された前記第２ファックスデータに含まれた受信者番号に基づいて、前記第２ファックスデータに対する発信拒否信号または発信許容信号を前記保存モジュールに出力し、
前記保存モジュールが、前記第２ファックスデータに対する前記発信許容信号を受信した場合、前記保存モジュールは、前記送受信モジュールを通じて伝送承認信号を前記ネットワークインターフェース部に伝送し、
前記制御部は、前記保存モジュールから出力されて前記ネットワークインターフェース部を通じて入力された伝送承認信号に応答して、前記保存装置に保存された前記第２ファックスデータを前記ＰＳＴＮインターフェース部を通じて前記ＰＳＴＮに伝送するように制御することを特徴とする、請求項１５に記載のファックスシステム。
【請求項１７】
前記ファックスシステムは、前記保存モジュールから出力された前記第２ファックスデータを受信し、該受信した第２ファックスデータの内容の認証のために前記第２ファックスデータを承認権者コンピュータに伝送するための認証モジュールをさらに備え、
前記認証モジュールは、前記承認権者コンピュータから認証信号を受信して前記認証信号を前記保存モジュールに伝送し、
前記保存モジュールが、前記第２ファックスデータに対する前記発信許容信号及び前記認証信号を受信した場合、前記保存モジュールは、前記送受信モジュールを通じて伝送承認信号を前記ネットワークインターフェース部に伝送することを特徴とする、請求項１６に記載のファックスシステム。
【請求項１８】
前記ファックスシステムは、前記第２ユーザコンピュータから外部に伝送する第３ファックスデータを受信し、該受信した第３ファックスデータの内容の認証のために前記第３ファックスデータを承認権者コンピュータと前記保存モジュールとに伝送するための認証モジュールをさらに備え、
前記認証モジュールは、
前記承認権者コンピュータから認証信号を受信して前記認証信号を前記保存モジュールに伝送し、
前記フィルタリングモジュールは、
前記保存モジュールから出力された前記第３ファックスデータを受信し、該受信された前記第３ファックスデータに含まれた受信者番号に基づいて、前記第３ファックスデータに対する発信拒否信号または発信許容信号を前記保存モジュールに出力し、
前記保存モジュールが、前記第３ファックスデータに対する前記認証信号及び発信許容信号を受信した場合、前記保存モジュールは、前記送受信モジュールを通じて前記保存モジュールに保存された前記第３ファックスデータを前記ネットワークインターフェース部に伝送し、
前記制御部は、前記保存モジュールから出力されて前記ネットワークインターフェース部を通じて入力された第３ファックスデータを前記ＰＳＴＮインターフェース部を通じて前記ＰＳＴＮに伝送するように制御することを特徴とする、請求項１５に記載のファックスシステム。
【請求項１９】
前記ファックスサーバは、前記第２ユーザコンピュータから外部に伝送する第３ファックスデータを受信し、該受信した第３ファックスデータの内容の認証のために前記第３ファックスデータを承認権者コンピュータと前記保存モジュールとに伝送するための認証モジュールをさらに備え、
前記認証モジュールは、前記承認権者コンピュータから認証信号を受信して前記認証信号を前記保存モジュールに伝送し、
前記フィルタリングモジュールは、前記保存モジュールから出力された前記第３ファックスデータを受信し、該受信された前記第３ファックスデータに含まれた受信者番号に基づいて、前記第３ファックスデータに対する発信拒否信号または発信許容信号を前記保存モジュールに出力し、
前記保存モジュールが、前記第３ファックスデータに対する前記認証信号及び発信許容信号を受信した場合、前記保存モジュールは、前記送受信モジュールを通じて前記保存モジュールに保存された前記第３ファックスデータを前記ネットワークインターフェース部に伝送し、
前記制御部は、前記保存モジュールから出力されて前記ネットワークインターフェース部を通じて入力された第３ファックスデータを前記ＰＳＴＮインターフェース部を通じて前記ＰＳＴＮに伝送するように制御することを特徴とする、請求項１５に記載のファックスシステム。
【請求項２０】
ファックスデータ伝送制御器が、ＰＳＴＮ網を通じて外部から入力される受信ファックスデータを受信する段階と、
前記ファックスデータ伝送制御器が、受信された前記受信ファックスデータを保存する段階と、
前記ファックスデータ伝送制御器が、保存された前記受信ファックスデータをインターネットを通じてファックスサーバに伝送する段階と
を備えることを特徴とする、ファックスシステムの提供方法。
【請求項２１】
前記ファックスデータ伝送制御器が、前記保存された第１ファックスデータを第１ユーザコンピュータに伝送する段階をさらに備えることを特徴とする、請求項２０に記載の方法。
【請求項２２】
前記ファックスサーバが、前記中央集中式ファックス端末機から受信される前記受信ファックスデータを受信する段階と、
前記ファックスサーバが、前記受信ファックスデータを保存する段階と、
前記ファックスサーバが、保存された前記受信ファックスデータに含まれた発信者番号に基づいて、前記受信ファックスデータに対する受信拒否または受信許容有無を決定する段階と、
前記ファックスサーバが、受信許容された前記第１ファックスデータを第２ユーザコンピュータから出力されたファックス要請信号に応答して、前記第２ユーザコンピュータに伝送する段階と
をさらに備えることを特徴とする、請求項２０に記載の方法。
【請求項２３】
ファックスデータ伝送制御器が、ファックス装置から出力される送信ファックスデータを受信する段階と、
前記ファックスデータ伝送制御器が、受信された前記送信ファックスデータを保存する段階と、
前記ファックスデータ伝送制御器が、前記送信ファックスデータをインターネットを通じて前記ファックスサーバに伝送する段階と、
前記ファックスデータ伝送制御器が、前記ファックスサーバから前記送信ファックスデータの伝送承認信号を受信する段階と、
前記ファックスデータ伝送制御器が、受信された前記伝送承認信号に応答して、保存された前記送信ファックスデータをＰＳＴＮを通じて外部に伝送する段階と
を備えることを特徴とする、ファックスシステムの提供方法。
【請求項２４】
前記ファックスデータ伝送制御器が、前記ファックスサーバから前記送信ファックスデータの伝送承認信号を受信する段階は、
前記ファックスサーバが、受信された前記第２ファックスデータを保存する段階と、
前記ファックスサーバが、保存された前記第２ファックスデータに含まれた受信者番号に基づいて、前記第２ファックスデータに対する発信拒否または発信許容有無を決定する段階と、
前記ファックスサーバが、前記第２ファックスデータに対する発信許容が決定された場合、前記ファックスデータ伝送制御器に外部伝送承認信号を伝送する段階と
を備えることを特徴とする、請求項２３に記載の方法。
【請求項２５】
前記ファックスデータ伝送制御器が、前記ファックスサーバから前記送信ファックスデータの伝送承認信号を受信する段階は、
前記ファックスサーバが、保存された送信ファックスデータの内容の認証のために前記送信ファックスデータを承認権者コンピュータに伝送する段階と、
前記ファックスサーバが、前記承認権者コンピュータから認証信号を受信する段階と
をさらに備え、前記ファックスサーバは、前記送信ファックスデータに対する内容の認証及び発信許容された場合、前記ファックスデータ伝送制御器に伝送承認信号を伝送することを特徴とする、請求項２４に記載の方法。
【請求項２６】
ファックスデータ伝送制御器が、第１ユーザコンピュータから出力される送信ファックスデータを受信する段階と、
前記ファックスデータ伝送制御器が、受信された前記送信ファックスデータを保存する段階と、
前記ファックスデータ伝送制御器が、前記送信ファックスデータをインターネットを通じて前記ファックスサーバに伝送する段階と、
前記ファックスデータ伝送制御器が、前記ファックスサーバから前記送信ファックスデータの伝送承認信号を受信する段階と、
前記ファックスデータ伝送制御器が、受信された前記伝送承認信号に応答して、保存された前記送信ファックスデータをＰＳＴＮを通じて外部に伝送する段階と
を備えることを特徴とする、ファックスシステムの提供方法。
【請求項２７】
ファックスサーバが、外部から受信される受信ファックスデータを受信する段階と、
前記ファックスサーバが、受信された前記受信ファックスデータを保存する段階と、
前記ファックスサーバが、保存された前記受信ファックスデータに含まれた発信者番号に基づいて、前記受信ファックスデータに対する受信拒否または受信許容有無を決定する段階と、
前記ファックスサーバが、受信許容された前記受信ファックスデータを第２ユーザコンピュータから出力されたファックス要請信号に応答して、前記第２ユーザコンピュータに伝送する段階と
を備えることを特徴とする、ファックスシステムの提供方法。
【請求項２８】
ファックスサーバが、第２ユーザコンピュータから外部に伝送する送信ファックスデータを受信する段階と、
前記ファックスサーバが、受信された前記送信ファックスデータを保存する段階と、
前記ファックスサーバが、保存された前記送信ファックスデータの内容の認証のために前記送信ファックスデータを承認権者コンピュータに伝送する段階と、
前記ファックスサーバが、前記承認権者コンピュータから認証信号を受信する段階と、
前記ファックスサーバが、内容の認証された前記送信ファックスデータをインターネットを通じてファックスデータ伝送制御器に伝送する段階と
を備えることを特徴とする、ファックスシステムの提供方法。
【請求項２９】
前記ファックスサーバが、保存された前記送信ファックスデータに含まれた受信者番号に基づいて、前記送信ファックスデータに対する発信拒否または発信許容有無を決定する段階をさらに備え、
前記ファックスサーバは、発信許容及び内容の認証された前記送信ファックスデータを前記インターネットを通じて前記ファックスデータ伝送制御器に伝送することを特徴とする、請求項２８に記載の方法。
【請求項３０】
前記ファックスデータ伝送制御器が、前記ファックスサーバから受信した前記送信ファックスデータをＰＳＴＮを通じて外部に伝送する段階をさらに備えることを特徴とする、請求項２９に記載のファックスシステムの提供方法。
【請求項３１】
請求項２０ないし請求項３０のうち何れか一項に記載の方法を行うためのプログラムを記録した記録媒体。
【発明の詳細な説明】
【技術分野】
【０００１】
本発明は、ファックス（ｆａｘ）システムに係り、より詳細には、ファックスデータの伝送を制御する装置及びファックスサーバを備えるファックスシステムに関する。一般的にファックス装置は、公衆電話網（ＰＳＴＮ、Ｐｕｂｌｉｃ  Ｓｗｉｔｃｈｅｄ  Ｔｅｌｅｐｈｏｎｅ  Ｎｅｔｗｏｒｋ）に連結されており、ＰＳＴＮに連結された他のファックス装置と文書データを送受信し、該受信した文書データを出力することができる装置を言う。
【背景技術】
【０００２】
ファックス装置は、ＰＳＴＮに連結されていてファックス番号さえ知っていれば、誰にでもファックスデータを伝送することができて、広告性ファックスのような不要なデータが受信されてしまう短所がある。また、現代社会の情報の重要性はさらに高まっているが、ファックス装置を通じて送受信するデータの保安装置は微弱な実情である。したがって、ファックス装置を通じるデータの送受信時に発信番号及び／または着信番号をフィルタリング（ｆｉｌｔｅｒｉｎｇ）でき、かつファックスデータの伝送時に承認権者の承認を受けることができる認証手続きを経させて保安を強化することができる技術が要求される。
【０００３】
また、インターネット技術の発展及び移動通信技術の発展につれて、既存の公衆電話網の使用及び重要度は落ちっているが、依然としてファックス装置の活用度は非常に高い。特に、業務環境では、ファックス装置は非常に重要な業務機器として位置づけられている。しかし、最近のようにインターネットまたはイントラネットがよく構築されており、個々人のコンピュータを、このようなインターネットまたはイントラネットに連結して通信するシステムでは、個人別にファックス装置を備えることが、費用、かつ資源の活用面でも非効率的であるだけでなく、このようなシステムに適したファックスデータの保安及び効率的なファックス活用度を満足させることもできない。
【０００４】
したがって、コンピュータを通じて連結されるインターネットまたはイントラネット網とファックスデータが伝送されるＰＳＴＮ網との効率的な結合及びインターネットに連結された多数のユーザの要求を満足させながらも、ファックスデータの多様な保安機能とフィルタリング装置を提供することができるファックスシステムが切実に要求される。
【発明の概要】
【発明が解決しようとする課題】
【０００５】
本発明が果たそうとする技術的な課題は、インターネットまたはイントラネット網が構築された環境で既存の体積が大きく、高価のファックス装置の代わりに相対的に遥かに体積が小さく、かつ簡単に既存のファックス装置の機能を代替でき、受信されるファックスデータをファックスサーバに伝送することもでき、または直接ユーザコンピュータに伝送することもでき、または既存のファックス装置に伝送することもできるファックスデータの伝送制御装置と方法とを提供することである。
【０００６】
本発明が果たそうとする他の技術的な課題は、前記ファックスデータの伝送制御装置を通じて入力されるファックスデータを受信し、該受信したファックスデータを複数の多様なユーザコンピュータに伝送しようとする時、受信されたファックスデータの発信番号に基づいて、伝送有無を判断して選択的にユーザに伝送することができるファックスサーバとその方法とを提供することである。
【０００７】
本発明が果たそうとするまた他の技術的な課題は、ユーザコンピュータから伝送要請されるファックスデータを受信し、該受信されたファックスデータの内容を承認権者にあらかじめ承認を受けるようにした後に伝送することができ、あらかじめ設定しておいた番号には伝送できないように制御するファックスサーバと方法とを提供することである。
【課題を解決するための手段】
【０００８】
前記技術的課題を果たすためのファックスデータ伝送制御器は、ＰＳＴＮを通じて外部から入力される第１ファックスデータを受信するためのＰＳＴＮインターフェース部と、前記ＰＳＴＮインターフェース部から出力された前記第１ファックスデータを保存するための保存装置と、前記保存装置から出力された前記第１ファックスデータをインターネットを通じてファックスサーバに伝送するためのネットワークインターフェース部と、前記ＰＳＴＮインターフェース部、前記保存装置、及び前記ネットワークインターフェース部のファックスデータ伝送を制御するための制御部と、を備える。
【０００９】
前記ファックスデータ伝送制御器は、前記制御部の制御下にファックス装置から出力される第２ファックスデータを受信するためのファックスインターフェース部をさらに備え、前記保存装置は、前記ファックスインターフェース部から出力された前記第２ファックスデータを保存し、前記ネットワークインターフェース部は、前記保存装置から出力された前記第２ファックスデータを前記インターネットを通じて前記ファックスサーバに伝送し、前記制御部は、前記ファックスサーバから出力されて前記ネットワークインターフェース部を通じて入力された伝送承認信号に応答して、前記保存装置に保存された前記第２ファックスデータを前記ＰＳＴＮインターフェース部を通じて前記ＰＳＴＮに伝送するように制御することができる。
【００１０】
前記ファックスデータ伝送制御器は、前記保存装置に保存された前記第１ファックスデータを第１ユーザコンピュータに伝送するためのコンピュータインターフェース部をさらに備えることができる。
【００１１】
前記ファックスデータ伝送制御器は、前記ファックスデータ伝送制御器に外装保存装置を接続するための連結部をさらに備えることができる。前記ファックスデータ伝送制御器は、前記制御部から出力される状態表示信号を受信して、前記中央集中式ファックス端末機の作動状態を表示するための状態表示部をさらに備えることができる。前記ファックスデータ伝送制御器は、外部から前記ファックスデータ伝送制御器の環境設定のためのデータを受信し、該受信されたデータを前記制御部に出力するための入力部をさらに備えることができる。
【００１２】
前記ＰＳＴＮインターフェース部は、前記ＰＳＴＮと前記ファックスデータ伝送制御器とを連結するための第１ＤＢ−９端子と、前記第１ＤＢ−９端子を通じて入出力される前記第１ファックスデータをキャプチャーするための第１キャプチャーブロックと、を備えることができる。前記ファックスインターフェース部は、前記ファックス装置と前記ファックスデータ伝送制御器とを連結するための第２ＤＢ−９端子と、前記第２ＤＢ−９端子を通じて入出力される前記第２ファックスデータをキャプチャーするための第２キャプチャーブロックと、を備えることができる。
【００１３】
前記コンピュータインターフェース部は、前記第１ユーザコンピュータと前記ファックスデータ伝送制御器とを連結するためのＲＳ２３２端子と、前記ＲＳ２３２端子を通じて入出力されるファックスデータをキャプチャーするための第３キャプチャーブロックと、を備えることができる。前記ネットワークインターフェース部は、前記インターネット網と前記ファックスデータ伝送制御器とを連結するためのＲＪ−４５端子と、前記ＲＪ−４５端子を通じて前記第１ファックスデータを前記ファックスサーバに伝送するためのイーサネット（ｅｔｈｅｒｎｅｔ）コントローラと、を備えることができる。
【００１４】
前記技術的課題を果たすためのファックスサーバは、インターネット網を通じて外部から受信される第１ファックスデータを送受信するための送受信モジュールと、前記送受信モジュールから出力された前記第１ファックスデータを保存するための保存モジュールと、前記保存モジュールから出力された前記第１ファックスデータを受信し、該受信された前記第１ファックスデータに含まれた発信者番号に基づいて、前記第１ファックスデータに対する受信拒否信号または受信許容信号を前記保存モジュールに出力するためのフィルタリングモジュールと、を備え、前記保存モジュールが、前記第１ファックスデータに対する前記受信許容信号を受信した場合、前記保存モジュールは、前記送受信モジュールを通じて前記保存モジュールに保存された前記第１ファックスデータを第２ユーザコンピュータから出力されたファックス要請信号に応答して、前記第２ユーザコンピュータに伝送する。
【００１５】
前記ファックスサーバは、前記第２ユーザコンピュータから外部に伝送する第２ファックスデータを受信し、該受信した第２ファックスデータの内容の認証のために前記第２ファックスデータを承認権者コンピュータと前記保存モジュールとに伝送するための認証モジュールをさらに備え、前記認証モジュールは、前記承認権者コンピュータから認証信号を受信して前記認証信号を前記保存モジュールに伝送し、前記フィルタリングモジュールは、前記保存モジュールから出力された前記第２ファックスデータを受信し、該受信された前記第２ファックスデータに含まれた受信者番号に基づいて、前記第２ファックスデータに対する発信拒否信号または発信許容信号を前記保存モジュールに出力し、前記保存モジュールが、前記第２ファックスデータに対する前記認証信号及び発信許容信号を受信した場合、前記保存モジュールは、前記送受信モジュールを通じて前記保存モジュールに保存された前記第２ファックスデータをインターネットを通じて外部に伝送することができる。
【００１６】
前記フィルタリングモジュールは、前記受信拒否信号または前記受信許容信号を出力するために受信拒否ファックス番号または受信許容ファックス番号を保存するためのファックス番号保存部を備え、前記ファックス番号保存部は、承認権者コンピュータから前記受信拒否ファックス番号または受信許容ファックス番号を受信することができる。
【００１７】
前記技術的課題を果たすためのファックスシステムは、ファックスデータ伝送制御器からインターネットを通じて第１ファックスデータを受信する送受信モジュールと、前記送受信モジュールから出力された前記第１ファックスデータを保存するための保存モジュールと、前記保存モジュールから出力された前記第１ファックスデータを受信し、該受信された前記第１ファックスデータに含まれた発信者番号に基づいて、前記第１ファックスデータに対する受信拒否信号または受信許容信号を前記保存モジュールに出力するためのフィルタリングモジュールと、を備え、前記保存モジュールが、前記第１ファックスデータに対する前記受信許容信号を受信した場合、前記保存モジュールは、前記送受信モジュールを通じて前記保存モジュールに保存された前記第１ファックスデータを第２ユーザコンピュータから出力されたファックス要請信号に応答して、前記第２ユーザコンピュータに伝送する。
【００１８】
前記ファックスデータ伝送制御器は、ＰＳＴＮを通じて外部から入力される前記第１ファックスデータを受信するためのＰＳＴＮインターフェース部と、前記ＰＳＴＮインターフェース部から出力された前記第１ファックスデータを保存するための保存装置と、前記保存装置から出力された前記第１ファックスデータを前記インターネットを通じて前記送受信モジュールに伝送するためのネットワークインターフェース部と、前記ＰＳＴＮインターフェース部、前記保存装置、及び前記ネットワークインターフェース部のファックスデータ伝送を制御するための制御部と、を備えることができる。
【００１９】
前記ファックスデータ伝送制御器は、ファックス装置から出力される第２ファックスデータを受信するためのファックスインターフェース部をさらに備え、前記保存装置は、前記ファックスインターフェース部から出力された前記第２ファックスデータを保存し、前記ネットワークインターフェース部は、前記保存装置から出力された前記第２ファックスデータを前記インターネットを通じて前記送受信モジュールに伝送し、前記保存モジュールは、前記送受信モジュールから出力された前記第２ファックスデータを保存し、前記フィルタリングモジュールは、前記保存モジュールから出力された前記第２ファックスデータを受信し、該受信された前記第２ファックスデータに含まれた受信者番号に基づいて、前記第２ファックスデータに対する発信拒否信号または発信許容信号を前記保存モジュールに出力し、前記保存モジュールが、前記第２ファックスデータに対する前記発信許容信号を受信した場合、前記保存モジュールは、前記送受信モジュールを通じて伝送承認信号を前記ネットワークインターフェース部に伝送し、前記制御部は、前記保存モジュールから出力されて前記ネットワークインターフェース部を通じて入力された伝送承認信号に応答して、前記保存装置に保存された前記第２ファックスデータを前記ＰＳＴＮインターフェース部を通じて前記ＰＳＴＮに伝送するように制御することができる。
【００２０】
前記ファックスサーバは、前記保存モジュールから出力された前記第２ファックスデータを受信し、該受信した第２ファックスデータの内容の認証のために前記第２ファックスデータを承認権者コンピュータに伝送するための認証モジュールをさらに備え、前記認証モジュールは、前記承認権者コンピュータから認証信号を受信して前記認証信号を前記保存モジュールに伝送し、前記保存モジュールが、前記第２ファックスデータに対する前記発信許容信号及び前記認証信号を受信した場合、前記保存モジュールは、前記送受信モジュールを通じて伝送承認信号を前記ネットワークインターフェース部に伝送することができる。
【００２１】
前記ファックスサーバは、前記第２ユーザコンピュータから外部に伝送する第３ファックスデータを受信し、該受信した第３ファックスデータの内容の認証のために前記第３ファックスデータを承認権者コンピュータと前記保存モジュールとに伝送するための認証モジュールをさらに備え、前記認証モジュールは、前記承認権者コンピュータから認証信号を受信して前記認証信号を前記保存モジュールに伝送し、前記フィルタリングモジュールは、前記保存モジュールから出力された前記第３ファックスデータを受信し、該受信された前記第３ファックスデータに含まれた受信者番号に基づいて、前記第３ファックスデータに対する発信拒否信号または発信許容信号を前記保存モジュールに出力し、前記保存モジュールが、前記第３ファックスデータに対する前記認証信号及び発信許容信号を受信した場合、前記保存モジュールは、前記送受信モジュールを通じて前記保存モジュールに保存された前記第３ファックスデータを前記ネットワークインターフェース部に伝送し、前記制御部は、前記保存モジュールから出力されて前記ネットワークインターフェース部を通じて入力された第３ファックスデータを前記ＰＳＴＮインターフェース部を通じて前記ＰＳＴＮに伝送するように制御することができる。
【００２２】
前記ファックスデータ伝送制御器は、第１ユーザコンピュータから出力される第４ファックスデータを受信するためのコンピュータインターフェース部をさらに備え、前記保存装置は、前記コンピュータインターフェース部から出力された前記第４ファックスデータを保存し、前記ネットワークインターフェース部は、前記保存装置から出力された前記第４ファックスデータを前記インターネットを通じて前記送受信モジュールに伝送し、前記保存モジュールは、前記送受信モジュールから出力された前記第４ファックスデータを保存し、前記フィルタリングモジュールは、前記保存モジュールから出力された前記第ファックスデータを受信し、該受信された前記第４ファックスデータに含まれた受信者番号に基づいて、前記第４ファックスデータに対する発信拒否信号または発信許容信号を前記保存モジュールに出力し、前記保存モジュールが、前記第４ファックスデータに対する前記発信許容信号を受信した場合、前記保存モジュールは、前記送受信モジュールを通じて伝送承認信号を前記ネットワークインターフェース部に伝送し、前記制御部は、前記保存モジュールから出力されて前記ネットワークインターフェース部を通じて入力された伝送承認信号に応答して、前記保存装置に保存された前記第４ファックスデータを前記ＰＳＴＮインターフェース部を通じて前記ＰＳＴＮに伝送するように制御することができる。
【００２３】
前記技術的課題を果たすためのファックスシステムの提供方法は、ファックスデータ伝送制御器が、ＰＳＴＮ網を通じて外部から入力される受信ファックスデータを受信する段階と、前記ファックスデータ伝送制御器が、受信された前記受信ファックスデータを保存する段階と、前記ファックスデータ伝送制御器が、保存された前記受信ファックスデータをインターネットを通じてファックスサーバに伝送する段階と、を備える。前記ファックスシステムの提供方法は、前記ファックスデータ伝送制御器が、保存された前記第１ファックスデータを第１ユーザコンピュータに伝送する段階をさらに備えることができる。
前記ファックスシステムの提供方法は、前記ファックスサーバが、前記中央集中式ファックス端末機から受信される前記第１ファックスデータを受信する段階と、前記ファックスサーバが、前記第１ファックスデータを保存する段階と、前記ファックスサーバが、保存された前記第１ファックスデータに含まれた発信者番号に基づいて、前記第１ファックスデータに対する受信拒否または受信許容有無を決定する段階と、前記ファックスサーバが、受信許容された前記第１ファックスデータを第２ユーザコンピュータから出力されたファックス要請信号に応答して、前記第２ユーザコンピュータに伝送する段階と、をさらに備えることができる。
【００２４】
前記技術的課題を果たすためのファックスシステムの提供方法は、ファックスデータ伝送制御器が、ファックス装置から出力される送信ファックスデータを受信する段階と、前記ファックスデータ伝送制御器が、受信された前記送信ファックスデータを保存する段階と、前記ファックスデータ伝送制御器が、前記送信ファックスデータをインターネットを通じて前記ファックスサーバに伝送する段階と、前記ファックスデータ伝送制御器が、前記ファックスサーバから前記送信ファックスデータの伝送承認信号を受信する段階と、前記ファックスデータ伝送制御器が、受信された前記伝送承認信号に応答して、保存された前記送信ファックスデータをＰＳＴＮを通じて外部に伝送する段階と、を備える。
【００２５】
前記ファックスデータ伝送制御器が、前記ファックスサーバから前記送信ファックスデータの伝送承認信号を受信する段階は、前記ファックスサーバが、受信された前記第２ファックスデータを保存する段階と、前記ファックスサーバが、保存された前記第２ファックスデータに含まれた受信者番号に基づいて、前記第２ファックスデータに対する発信拒否または発信許容有無を決定する段階と、前記ファックスサーバが、前記第２ファックスデータに対する発信許容が決定された場合、前記ファックスデータ伝送制御器に外部伝送承認信号を伝送する段階と、を備えることができる。
【００２６】
前記ファックスデータ伝送制御器が、前記ファックスサーバから前記送信ファックスデータの伝送承認信号を受信する段階は、前記ファックスサーバが、保存された送信ファックスデータの内容の認証のために前記送信ファックスデータを承認権者コンピュータに伝送する段階と、前記ファックスサーバが、前記承認権者コンピュータから認証信号を受信する段階と、をさらに備え、前記ファックスサーバは、前記送信ファックスデータに対する内容の認証及び発信許容された場合、前記ファックスデータ伝送制御器に伝送承認信号を伝送することができる。
【００２７】
前記技術的課題を果たすためのファックスシステムの提供方法は、ファックスデータ伝送制御器が、第１ユーザコンピュータから出力される送信ファックスデータを受信する段階と、前記ファックスデータ伝送制御器が、受信された前記送信ファックスデータを保存する段階と、前記ファックスデータ伝送制御器が、前記送信ファックスデータをインターネットを通じて前記ファックスサーバに伝送する段階と、前記ファックスデータ伝送制御器が、前記ファックスサーバから前記送信ファックスデータの伝送承認信号を受信する段階と、前記ファックスデータ伝送制御器が、受信された前記伝送承認信号に応答して、保存された前記送信ファックスデータをＰＳＴＮを通じて外部に伝送する段階と、を備える。
【００２８】
前記技術的課題を果たすためのファックスシステムの提供方法は、ファックスサーバが、外部から受信される受信ファックスデータを受信する段階と、前記ファックスサーバが、受信された前記受信ファックスデータを保存する段階と、前記ファックスサーバが、保存された前記受信ファックスデータに含まれた発信者番号に基づいて、前記受信ファックスデータに対する受信拒否または受信許容有無を決定する段階と、前記ファックスサーバが、受信許容された前記受信ファックスデータを第２ユーザコンピュータから出力されたファックス要請信号に応答して、前記第２ユーザコンピュータに伝送する段階と、を備える。
【００２９】
前記技術的課題を果たすためのファックスシステムの提供方法は、ファックスサーバが、第２ユーザコンピュータから外部に伝送する送信ファックスデータを受信する段階と、前記ファックスサーバが、受信された前記送信ファックスデータを保存する段階と、前記ファックスサーバが、保存された前記送信ファックスデータの内容の認証のために前記送信ファックスデータを承認権者コンピュータに伝送する段階と、前記ファックスサーバが、前記承認権者コンピュータから認証信号を受信する段階と、前記ファックスサーバが、内容の認証された前記送信ファックスデータをインターネットを通じてファックスデータ伝送制御器に伝送する段階と、を備える。
【００３０】
前記ファックスシステムの提供方法は、前記ファックスサーバが、保存された前記送信ファックスデータに含まれた受信者番号に基づいて、前記送信ファックスデータに対する発信拒否または発信許容有無を決定する段階をさらに備え、前記ファックスサーバは、発信許容及び内容の認証された前記送信ファックスデータを前記インターネットを通じて前記ファックスデータ伝送制御器に伝送することができる。
【００３１】
前記ファックスシステムの提供方法は、前記ファックスデータ伝送制御器が、前記ファックスサーバから受信された前記第１ファックスデータをＰＳＴＮを通じて外部に伝送する段階をさらに備えることができる。
【発明の効果】
【００３２】
本発明によるインターネットまたはイントラネット網が構築された環境で既存の体積が大きく、高価のファックス装置の代わりに相対的に遥かに体積が小さいながらも、簡単に既存のファックス装置の機能を代替することができ、既にファックス装置が備えられていても、該ファックス装置をそのまま活用することもできる。また、受信されるファックスデータをファックスサーバに伝送することもでき、または直接ユーザコンピュータに伝送することもでき、または既存のファックス装置に伝送することができる効果がある。
【００３３】
また、ファックスデータの伝送制御器を通じて入力されるファックスデータを受信し、該受信したファックスデータを複数の多様なユーザコンピュータに伝送しようとする時、受信されたファックスデータの発信番号に基づいて、伝送有無を判断して選択的にユーザに伝送することができる効果がある。また、ユーザコンピュータから伝送要請されるファックスデータを受信し、該受信されたファックスデータの内容を承認権者にあらかじめ承認を受けるようにした後に伝送することができ、あらかじめ設定しておいた番号には伝送できないように制御する効果がある。
【００３４】
また、受信または発信されるファックスデータのすべての制御をファックス装置ではないファックスサーバでなされるようにして、多様なファックスデータの活用及び検査を可能にする効果がある。
【図面の簡単な説明】
【００３５】
本発明の詳細な説明で引用される図面をより十分に理解するために、各図面の簡単な説明が提供される。
【図１】本発明の実施形態によるファックスシステムのブロック図とファックスデータ伝送器とを中心に表わす。
【図２】本発明の実施形態によるファックスデータ伝送器のインターフェース部の構成を表わす。
【図３】本発明の実施形態によるファックスサーバのブロック図を表わす。
【図４】本発明の実施形態によるファックスシステムのブロック図とデータフローチャートとを表わす。
【図５】本発明の実施形態によるファックスシステムのブロック図とデータフローチャートとを表わす。
【図６】本発明の他の実施形態によるファックスシステムのブロック図とデータフローチャートとを表わす。
【発明を実施するための形態】
【００３６】
以下、添付した図面を参照して、本発明を詳しく説明する。
図１は、本発明の実施形態によるファックスシステムのブロック図とファックスデータ伝送器とを中心に表わす。図１を参照すれば、本発明によるファックスデータ伝送制御器１００は、ＰＳＴＮインターフェース部１１０、保存装置１２０、ネットワークインターフェース部１３０、及び制御部１４０を備える。前記ファックスデータ伝送制御器１００は、ファックスインターフェース部１５０、コンピュータインターフェース部１６０、状態表示部１７０、または入力部１８０をさらに備えることができる。前記ＰＳＴＮインターフェース部１１０、前記保存装置１２０、及び前記ネットワークインターフェース部１３０は、前記制御部１４０の制御下に動作することが望ましいが、説明の便宜上、前記制御部１４０の制御下に動作することについての説明は、本明細書では省略する。
【００３７】
前記ＰＳＴＮインターフェース部１１０は、ＰＳＴＮを通じて外部から入力される第１ファックスデータを受信する。また前記ＰＳＴＮインターフェース部１１０は、ＰＳＴＮを通じて外部に伝送するファックスデータを出力することもできる。
【００３８】
前記保存装置１２０は、前記ＰＳＴＮインターフェース部１１０から出力された前記第１ファックスデータを保存する。前記保存装置１２０は、揮発性メモリまたは不揮発性メモリを備え、ハードディスク、光データ記録媒体のような記録媒体を備えることもできるが、発明の権利範囲が、これに限定されるものではない。前記保存装置１２０に前記ＰＳＴＮまたは前記インターネットを通じて受信されるファックスデータを保存することによって、ネットワークのエラーなどの状況が発生するか、ファックスデータを受信するファックス装置が他の回線と連結中である時に再伝送をすることもでき、管理者が送信または受信されたすべてのファックスデータを確認することもできる。
【００３９】
前記ネットワークインターフェース部１３０は、前記保存装置１２０から出力された前記第１ファックスデータをインターネットを通じてファックスサーバに伝送する。前記ネットワークインターフェース部１３０は、必ずしもインターネットを通じてファックスデータを伝送しなければならないものではなく、イントラネットなどのその他の有無線通信網を通じてファックスデータを送受信することもできるが、説明の便宜上、インターネットを一例として説明し、本発明の権利範囲が、これに限定されるものではない。また、前記ネットワークインターフェース部１３０は、インターネットを通じて外部から前記ファックスデータ伝送制御器に受信されるファックスデータを受信することもできる。
【００４０】
前記制御部１４０は、前記ＰＳＴＮインターフェース部１１０、前記保存装置１２０、及び前記ネットワークインターフェース部１３０のファックスデータ伝送を制御する。前記制御部１４０は、前記ＰＳＴＮインターフェース部１１０、前記保存装置１２０、及び前記ネットワークインターフェース部１３０のファックスデータ伝送を制御するためにＣＰＵ、ＭＣＵ（Ｍｉｃｒｏ  Ｃｏｎｔｒｏｌｌｅｒ  Ｕｎｉｔ）のようなプロセッサを備えることができる。また、前記制御部１４０は、前記ＰＳＴＮインターフェース部１１０、前記保存装置１２０、及び前記ネットワークインターフェース部１３０を動作または制御するためのファームウエアを保存するための別途のメモリ（図示せず）を備えることもできる。
【００４１】
前記ファックスデータ伝送制御器１００は、前記制御部１４０の制御下にファックス装置１０から出力される第２ファックスデータ（すなわち、ファックス装置から外部に伝送するためのファックスデータ）を受信するためのファックスインターフェース部１５０をさらに備えることができる。すなわち、前記ファックスデータ伝送制御器１００は、既存のファックス装置をそのまま活用するために前記ファックス装置１０とも連結されうる。したがって、外部から入力されるファックスデータは、前記ファックスデータ伝送制御器１００を通じて前記ファックス装置１０に伝送され、前記ファックス装置１０を用いた外部へのファックスデータの伝送時にも、前記ファックスデータ伝送制御器１００を通じて外部に伝送させうる。前記保存装置１２０は、前記ファックスインターフェース部１５０から出力された前記第２ファックスデータを保存する。前記ネットワークインターフェース部１３０は、前記保存装置１２０から出力された前記第２ファックスデータを前記インターネットを通じて前記ファックスサーバ２００に伝送する。
【００４２】
前記制御部１４０は、前記ファックスサーバ２００から出力されて前記ネットワークインターフェース部１３０を通じて入力された伝送承認信号に応答して、前記保存装置１２０に保存された前記第２ファックスデータを前記ＰＳＴＮインターフェース部１１０を通じて前記ＰＳＴＮに伝送するように制御する。すなわち、前記ファックスサーバ２００によって前記第２ファックスデータを外部に伝送しも良いという伝送承認信号が、前記ファックスデータ伝送制御器１００に受信された場合にのみ外部に前記第２ファックスデータを伝送させることもできる。前記ファックスサーバ２００が、前記伝送承認信号を出力する場合は、後述するフィルタリング段階または認証段階を経るが、これに限定されず、多様な保安性検査などを前記ファックスサーバ２００で行うこともできる。
【００４３】
前記ファックスデータ伝送制御器１００は、前記保存装置１２０に保存された前記第１ファックスデータを第１ユーザコンピュータ２０に伝送するためのコンピュータインターフェース部１６０をさらに備えることができる。また、前記コンピュータインターフェース部１６０は、前記第１ユーザコンピュータ２０から外部に伝送するファックスデータを受信することもできる。すなわち、外部から前記ファックスデータ伝送制御器１００に受信された前記第１ファックスデータを前記ファックスサーバ２００に伝送するが、直接前記ファックスデータ伝送制御器１００に連結された前記第１ユーザコンピュータ２０に伝送することもできる。したがって、前記ファックスデータ伝送制御器１００とコンピュータのみあれば、既存のファックス装置を別途に備えなくても、ファックスデータを送受信することができる。もし、ユーザがファックスデータを出力しようとすれば、前記第１ユーザコンピュータ２０に連結されたプリンター装置（図示せず）を通じて出力することもできる。
【００４４】
前記ファックスデータ伝送制御器１００は、前記ファックスデータ伝送制御器１００に外装保存装置１２３を接続するための連結部をさらに備えることができる。すなわち、前記ファックスデータ伝送制御器１００に内蔵された前記保存装置１２０に保存されたファックスデータが満ちて前記保存装置１２０の保存容量が足りない時は、前記外装保存装置１２３を連結して使うこともできる。前記連結部は、ＵＳＢポート、直列ポートなどであり得るが、本発明の権利範囲が、これに限定されるものではない。
【００４５】
前記ファックスデータ伝送制御器１００は、前記制御部１４０から出力される状態表示信号を受信して、前記ファックスデータ伝送制御器１００の作動状態を表示するための状態表示部１７０をさらに備えることができる。すなわち、前記状態表示部１７０は、前記ファックスデータ伝送制御器１００がファックスデータを受信、伝送、またはエラーなどの状態をユーザが確認できるように所定のランプ（図示せず）を備えることができる。
【００４６】
前記ファックスデータ伝送制御器１００は、外部から前記ファックスデータ伝送制御器１００の環境設定のためのデータを受信し、該受信されたデータを前記制御部１４０に出力するための入力部１８０をさらに備えることもできる。すなわち、ユーザが前記保存装置１２０に保存されたファックスデータを削除または更新するか、前記制御部１４０に保存されたファームウエアなどをアップグレードしようとする時、前記入力部１８０を通じてファックスデータを削除または更新する命令を入力するか、ファームウエアなどを入力することができる。前記入力部１８０は、ユーザが命令を入力するか、制御部の動作を制御するための所定のインターフェース装置（図示せず）と連結されることができる。
【００４７】
図２は、本発明の実施形態によるファックスデータ伝送器のインターフェース部の構成を表わす。図１と図２とを参照すれば、前記ＰＳＴＮインターフェース部１１０は、前記ＰＳＴＮと前記ファックスデータ伝送制御器１００とを連結するための第１ＤＢ−９端子１１２−１〜１１２−Ｎ、及び前記第１ＤＢ−９端子１１２−１〜１１２−Ｎを通じて入出力される前記第１ファックスデータをキャプチャーするための第１キャプチャーブロック１１１−１〜１１１−Ｎを備えることができる。すなわち、前記ＰＳＴＮインターフェース部１１０は、少なくとも一つ以上の前記ＰＳＴＮと前記ファックスデータ伝送制御器１００とを連結するための端子を備えることができる。すなわち、ユーザが多数のファックス番号を使っても、前記ファックスデータ伝送制御器１００の一つのみで前記多数のファックス番号を受信番号するファックスデータをいずれも制御させうる。前記第１ＤＢ−９端子１１２−１〜１１２−Ｎは、前記ファックスデータ伝送制御器１００と前記ＰＳＴＮとを連結するための電話連結端子であり、前記第１キャプチャーブロック１１３−１〜１１３−Ｎは、イメージファイルの形態（ＴＩＦ）に入出力されるファックスデータをキャプチャーすることができる。前記第１キャプチャーブロック１１３−１〜１１３−Ｎは、従来のファックスチップを用いて備えられることもある。
【００４８】
前記ファックスインターフェース部１５０は、前記ファックス装置１０と前記ファックスデータ伝送制御器１００とを連結するための第２ＤＢ−９端子１５２−１〜１５２−Ｍ及び前記第２ＤＢ−９端子１５２−１〜１５２−Ｍを通じて入出力される前記第２ファックスデータをキャプチャーするための第２キャプチャーブロック１５３−１〜１５３−Ｍを備えることができる。すなわち、前記ファックスインターフェース部１５０は、少なくとも一つ以上のファックス装置と前記ファックスデータ伝送制御器１００とを連結するための端子を備えることができる。すなわち、多数のファックス装置が備えられた場合には、前記多数のファックス装置をそのまま活用するために、前記ファックスデータ伝送制御器１００と前記多数のファックス装置とがそれぞれ連結され、前記ファックスデータ伝送制御器１００は、前記多数のファックス装置から入出力されるファックスデータを制御させうる。前記第２ＤＢ−９端子１５２−１〜１５２−Ｎは、前記ファックスデータ伝送制御器１００と前記ファックス装置１０とを連結するための電話連結端子であり、前記第２キャプチャーブロック１５３−１〜１５３−Ｎは、イメージファイルの形態（ＴＩＦ）に入出力されるファックスデータをキャプチャーすることができる。前記第２キャプチャーブロック１５３−１〜１５３−Ｎは、従来のファックスチップを用いて備えられることもある。
【００４９】
前記コンピュータインターフェース部１６０は、前記第１ユーザコンピュータ２０と前記ファックスデータ伝送制御器１００とを連結するためのＲＳ２３２端子１６２−１〜１６２−Ｋ及び前記ＲＳ２３２端子１６２−１〜１６２−Ｋを通じて入出力されるファックスデータをキャプチャーするための第３キャプチャーブロック１６３−１〜１６３−Ｋを備えることができる。すなわち、前記コンピュータインターフェース部１６０は、少なくとも一つ以上のユーザコンピュータと前記ファックスデータ伝送制御器１００とを連結するための端子を備えることができる。すなわち、多数のユーザコンピュータが備えられた場合には、前記多数のユーザコンピュータでファックスデータを受信または発信できるように前記ファックスデータ伝送制御器１００と前記多数のユーザコンピュータはそれぞれ連結され、前記ファックスデータ伝送制御器１００は、前記多数のユーザコンピュータから入出力されるファックスデータを制御することができる。前記ＲＳ２３２端子１６２−１〜１６２−Ｎは、前記ファックスデータ伝送制御器１００と前記第１ユーザコンピュータ２０とを連結するための直列ポート端子であり、前記第３キャプチャーブロック１６３−１〜１６３−Ｎは、イメージファイルの形態（ＴＩＦ）に入出力されるファックスデータをキャプチャーすることができる。前記第３キャプチャーブロック１６３−１〜１６３−Ｎは、従来のファックスチップを用いて備えられることもある。
【００５０】
前記ネットワークインターフェース部１３０は、前記インターネット網と前記ファックスデータ伝送制御器１００とを連結するためのＲＪ−４５端子１３３及び前記ＲＪ−４５端子１３３を通じて前記第１ファックスデータを前記ファックスサーバに伝送するためのイーサネットコントローラ１３１を備えることができる。すなわち、前記ファックスデータ伝送制御器１００は、前記インターネット網に連結されて他のシステム（例えば、ファックスサーバ）で前記ファックスデータ伝送制御器１００に連結を要請するか、要請されるためにＩＰアドレスを有することが望ましい。前記ＩＰアドレスを有しながら、前記インターネットに連結されてファックスデータをインターネットを通じて入出力するために、前記ファックスデータ伝送制御器１００はイーサネットコントローラ１３１を備えることができる。また、ＲＪ−４５端子１３３のようなＬＡＮポートを備えることが望ましい。
【００５１】
図３は、本発明の実施形態によるファックスサーバのブロック図を表わす。図３を参照すれば、本発明によるファックスサーバ２００は、送受信モジュール２１０、保存モジュール２２０、及びフィルタリングモジュール２３０を備える。前記ファックスサーバ２００は、認証モジュール２４０をさらに備えることができる。前記ファックスサーバ２００は、前記送受信モジュール２１０、前記保存モジュール２２０、及び前記フィルタリングモジュール２３０を制御するための制御モジュール（図示せず）またはプロセッサ（図示せず）などをさらに備えることが望ましいが、説明の便宜上、前記制御モジュール（図示せず）またはプロセッサ（図示せず）の制御下に動作することについての説明は、本明細書では省略する。前記送受信モジュール２１０は、インターネット網を通じて外部から受信される第１ファックスデータを送受信する。
【００５２】
前記保存モジュール２２０は、前記送受信モジュール２１０から出力された前記第１ファックスデータを保存する。前記保存モジュール２２０は、ハードディスクドライブ、磁気ディスクドライブ、及び光ディスクドライブなどを備え、またベルヌーイカートリッジ、ランダムアクセスメモリ（ＲＡＭ）、判読専用メモリ（ＲＯＭ）などとして具現可能であるが、発明の権利範囲が、これに限定されるものではない。また、前記保存モジュール２２０は、受信される前記第１ファックスデータをそのまま保存できるだけではなく、前記第１ファックスデータに含まれた受信番号または発信番号を別途に前記第１ファックスデータとともに保存することもでき、後述するフィルタリング段階または認証段階などのさまざまな保安性検査またはフィルタリング検査などのために具現されるデータベースに保存されることもできる。前記データベースは、一つのテーブルとして具現されることもあり、別個のテーブル形態として具現されることもある。また、連結リスト（ｌｉｎｋｅｄ−ｌｉｓｔ）、ツリー（Ｔｒｅｅ）、関係型ＤＢの形態など多様な方式として具現可能である。
【００５３】
前記フィルタリングモジュール２３０は、前記保存モジュール２２０から出力された前記第１ファックスデータを受信し、該受信された前記第１ファックスデータに含まれた発信者番号に基づいて、前記第１ファックスデータに対する受信拒否信号または受信許容信号を前記保存モジュールに出力する。前記フィルタリングモジュール２３０は、前記保存モジュール２２０が、前記第１ファックスデータに含まれた受信番号または発信番号を別途に前記第１ファックスデータとともに保存したならば、該保存した前記発信番号のみを前記保存モジュール２２０から受信することもできる。前記フィルタリングモジュール２３０が、前記受信拒否信号または受信許容信号を前記保存モジュール２２０に出力する場合には、前記保存モジュール２２０に保存された前記第１ファックスデータに対応するフィルタリングタグに受信拒否または受信許容を表わすように保存することができる。
【００５４】
前記保存モジュール２２０が、前記第１ファックスデータに対する前記受信許容信号を受信した場合、前記保存モジュール２２０は、前記送受信モジュール２１０を通じて前記保存モジュール２２０に保存された前記第１ファックスデータを第２ユーザコンピュータ３０から出力されたファックス要請信号に応答して、前記第２ユーザコンピュータ３０に伝送する。すなわち、前記第２ユーザコンピュータ３０から前記ファックスサーバ２００に前記ファックス要請信号が出力されれば、前記ファックスサーバ２００は、前記第１ファックスデータに対応するフィルタリングタグを検索し、前記フィルタリングタグが受信許容を表わす場合にのみ前記第１ファックスデータを前記第２ユーザコンピュータ３０に伝送させうる。したがって、ユーザの立場では、不要か受信されてはいけないファックスデータがあらかじめ遮断されてユーザに受信される効果が発生する。
【００５５】
ファックスサーバ２００は、前記第２ユーザコンピュータ３０から外部に伝送する第２ファックスデータを受信し、該受信した第２ファックスデータの内容の認証のために前記第２ファックスデータを承認権者コンピュータ４０と前記保存モジュール２２０とに伝送するための認証モジュールをさらに備えることができる。すなわち、前記認証モジュール２４０は、前記第２ユーザコンピュータ３０が外部に伝送しようとするファックスデータに対する内容を検査する役割を果たす。本発明の一実施形態では、前記第２ファックスデータに対する内容の認証のために前記承認権者コンピュータ４０に前記第２ファックスデータを伝送して、認証を受ける場合を例として説明したが、本発明の権利範囲が、これに限定されず、例えば、前記認証モジュール２４０は、内容の認証のために前記第２ファックスデータに含まれたファックス内容をスキャンまたは認識し、スキャンまたは認識されたファックス内容に既定のデータが含まれた場合には、認証を拒否することもできる。
【００５６】
前記認証モジュール２４０は、前記承認権者コンピュータ４０から認証信号を受信し、前記認証信号を前記保存モジュールに伝送する。前記認証モジュール２４０が、前記認証信号または認証拒否信号を前記保存モジュール２２０に出力する場合には、前記保存モジュール２２０に保存された前記第２ファックスデータに対応する認証タグに認証または認証拒否を表わすように保存することができる。
【００５７】
前記フィルタリングモジュール２３０は、前記保存モジュールから出力された前記第２ファックスデータを受信し、該受信された前記第２ファックスデータに含まれた受信者番号に基づいて、前記第２ファックスデータに対する発信拒否信号または発信許容信号を前記保存モジュール２２０に出力する。前記フィルタリングモジュール２３０が、前記発信拒否信号または発信許容信号を前記保存モジュール２２０に出力する場合には、前記保存モジュール２２０に保存された前記第２ファックスデータに対応するフィルタリングタグに発信拒否または発信許容を表わすように保存することができる。
【００５８】
前記保存モジュール２２０が、前記第２ファックスデータに対する前記認証信号及び発信許容信号を受信した場合、前記保存モジュール２２０は、前記送受信モジュール２１０を通じて前記保存モジュール２２０に保存された前記第２ファックスデータをインターネットを通じて外部に伝送することができる。すなわち、第２ユーザが外部にファックスデータを伝送しようとする時には、内容に対する認証と宛先に対する認証とを受けると外部にファックスデータを伝送させることができる。内容に対する認証または宛先に対する認証のうち何れか一つのみを遂行することができるということは勿論である。
【００５９】
前記フィルタリングモジュール２３０は、前記受信拒否信号または前記受信許容信号を出力するために受信拒否ファックス番号または受信許容ファックス番号を保存するためのファックス番号保存部２３１を備えることができる。また、前記ファックス番号保存部２３１には、発信拒否ファックス番号または発信許容ファックス番号が保存されることができるということは勿論であり、よく使うファックス番号のようにユーザの必要によって多様なファックス番号を保存することができる。
【００６０】
前記ファックス番号保存部２３１は、承認権者コンピュータ４０から前記受信拒否ファックス番号または受信許容ファックス番号を受信することができる。すなわち、ファックス番号のフィルタリングのための番号のように保安のためのファックス番号は管理者（例えば、承認権者）だけ入力できるようにすることが望ましいが、前記保安のためのファックス番号の以外のファックス番号（例えば、よく使うファックス番号）のような場合には、他の一般ユーザが前記ファックス番号保存部２３１を通じて入力または削除させることもできる。すなわち、前記ファックス番号保存部２３１は、接続するユーザの等級によって制御するファックス番号を区分することができる。
【００６１】
また、前記ファックスサーバ２００は、前記のようなフィルタリングまたは内容の認証の機能だけではなく、多様な他の機能を提供することができる。これは、既存のファックスデータの制御がファックス装置からなされることを前記ファックスデータ伝送制御器１００を通じて前記ファックスサーバ２００で制御できるためである。例えば、前記ファックスサーバ２００にＳＭＳ（Ｓｈｏｒｔ  Ｍｅｓｓａｇｅ  Ｓｅｒｖｉｃｅ）センターが連結され、外部から前記ファックスサーバ２００にＡという人に伝送されるファックスデータが受信された場合、前記ファックスサーバ２００は、既に保存されたＡという人のモバイル機器の電話番号を検索し、そのモバイル機器にファックスデータの到着有無をＳＭＳで知らせることもできる。または同じ方法で電子メールを通じて到着有無を知らせることもできる。
【００６２】
図４及び図５は、本発明の実施形態によるファックスシステムのブロック図とデータフローチャートとを表わす。図４及び図５を参照すれば、本発明によるファックスシステム１は、ファックスデータ伝送制御器１００及びファックスサーバ２００を備える。送受信モジュール２１０は、ファックスデータ伝送制御器１００からインターネットを通じて第１ファックスデータを受信する（Ｓ１０８）。保存モジュール２３０は、前記送受信モジュール２１０から出力された前記第１ファックスデータを保存する（Ｓ１１１、Ｓ１１３）。
【００６３】
フィルタリングモジュール２２０は、前記保存モジュール２３０から出力された前記第１ファックスデータを受信し（Ｓ１１５）、該受信された前記第１ファックスデータに含まれた発信者番号に基づいて、前記第１ファックスデータに対する受信拒否信号または受信許容信号を前記保存モジュールに出力する（Ｓ１１７、Ｓ１１９）。前記保存モジュール２３０が、前記第１ファックスデータに対する前記受信許容信号を受信した場合、前記保存モジュール２３０は、前記送受信モジュール２１０を通じて前記保存モジュール２３０に保存された前記第１ファックスデータを第２ユーザコンピュータ３０から出力されたファックス要請信号に応答して、前記第２ユーザコンピュータに伝送する（Ｓ１２１）。
【００６４】
前記ファックスデータ伝送制御器１００は、ＰＳＴＮインターフェース部１１０、保存装置１２０、ネットワークインターフェース部１３０、及び制御部１４０を備える。前記ファックスデータ伝送制御器１００は、ファックスインターフェース部１５０、コンピュータインターフェース部１６０、状態表示部１７０、または入力部１８０をさらに備えることもできる。
【００６５】
前記ＰＳＴＮインターフェース部１１０は、ＰＳＴＮを通じて外部から入力される前記第１ファックスデータを受信する（Ｓ１０１）。前記保存装置１２０は、前記ＰＳＴＮインターフェース部から出力（Ｓ１０３）された前記第１ファックスデータを保存する（Ｓ１０５）。前記ネットワークインターフェース部１３０は、前記保存装置１２０から出力（Ｓ１０７）された前記第１ファックスデータを前記インターネットを通じて前記送受信モジュール２１０に伝送する（Ｓ１０９）。前記制御部１４０は、前記ＰＳＴＮインターフェース部、前記保存装置、及び前記ネットワークインターフェース部のファックスデータ伝送を制御する。
【００６６】
また、前記ファックスデータ伝送制御器１００は、ＰＳＴＮを通じて外部から入力される前記第１ファックスデータを受信して、前記ファックスサーバ２００に伝送せずに直ちにファックス装置１０、または第１ユーザコンピュータ２０に伝送することもできる。
【００６７】
すなわち、前記ＰＳＴＮインターフェース部１１０は、ＰＳＴＮを通じて外部から入力される前記第１ファックスデータを受信し（Ｓ１０１）、前記保存装置１２０は、前記ＰＳＴＮインターフェース部から出力（Ｓ１０３）された前記第１ファックスデータを保存し（Ｓ１０５）、前記ファックスインターフェース部１５０または前記コンピュータインターフェース部１６０は、前記保存装置１２０から出力された前記第１ファックスデータを受信して（Ｓ１０４−１  または  Ｓ１０５−１）、それぞれ前記ファックス装置１０または前記第１ユーザコンピュータ２０に出力することもできる。
【００６８】
前記ファックスデータ伝送制御器１００は、ファックス装置１０から出力される第２ファックスデータを受信（Ｓ２０１）するためのファックスインターフェース部１５０をさらに備えることができる。
前記保存装置１２０は、前記ファックスインターフェース部１５０から出力（Ｓ２０３）された前記第２ファックスデータを保存（Ｓ２０５）する。前記ネットワークインターフェース部１５０は、前記保存装置１２０から出力（Ｓ２０７）された前記第２ファックスデータを前記インターネットを通じて前記送受信モジュール（Ｓ２０９）に伝送し、前記保存モジュール２２０は、前記送受信モジュール２１０から出力（Ｓ２１１）された前記第２ファックスデータを保存し（Ｓ２１３）、前記フィルタリングモジュール２３０は、前記保存モジュール２２０から出力された前記第２ファックスデータを受信し（Ｓ２１５）、該受信された前記第２ファックスデータに含まれた受信者番号に基づいて、前記第２ファックスデータに対する発信拒否信号または発信許容信号を前記保存モジュール２２０に出力し（Ｓ２１７、Ｓ２１９）、前記保存モジュール２２０が、前記第２ファックスデータに対する前記発信許容信号を受信した場合、前記保存モジュール２２０は、前記送受信モジュール２１０を通じて伝送承認信号を前記ネットワークインターフェース部１３０に伝送し（Ｓ２２１）、前記制御部１４０は、前記保存モジュール２２０から出力されて前記ネットワークインターフェース部１３０を通じて入力された伝送承認信号に応答して、前記保存装置１２０に保存された前記第２ファックスデータを前記ＰＳＴＮインターフェース部１１０を通じて前記ＰＳＴＮに伝送するように制御する（Ｓ２２３、Ｓ２２５）。
【００６９】
前記ファックスサーバ２００は、前記保存モジュール２２０から出力された前記第２ファックスデータを受信し（Ｓ２１５−１）、該受信した第２ファックスデータの内容の認証のために前記第２ファックスデータを承認権者コンピュータ４０に伝送（Ｓ２１５−２）するための認証モジュール２４０をさらに備えることができる。前記認証モジュール２４０は、前記承認権者コンピュータ４０から認証信号を受信し（Ｓ２１５−３）、前記認証信号を前記保存モジュールに伝送し（Ｓ２１５−４）、前記保存モジュール２２０が、前記第２ファックスデータに対する前記発信許容信号及び前記認証信号を受信した場合、前記保存モジュール２２０は、前記送受信モジュール２１０を通じて伝送承認信号を前記ネットワークインターフェース部１３０に伝送することもできる。
【００７０】
前記ファックスデータ伝送制御器１００は、第１ユーザコンピュータ２０から出力される第４ファックスデータを受信するためのコンピュータインターフェース部１６０をさらに備えることができる。前記保存装置１２０は、前記コンピュータインターフェース部１６０から出力（Ｓ４０３）された前記第４ファックスデータを保存する。前記第４ファックスデータが、前記ファックスデータ伝送制御器１００及び前記ファックスサーバ２００を通じて再び前記ファックスデータ伝送制御器１００を経て前記ＰＳＴＮを通じて外部に出力される過程は、前述した前記第２ファックスデータが出力される過程と同一であるので、詳しい説明は省略する。
【００７１】
図６は、本発明の他の実施形態によるファックスシステムのブロック図とデータフローチャートとを表わす。図４、図５及び図６を参照すれば、前記認証モジュール２４０は、前記第２ユーザコンピュータから外部に伝送する第３ファックスデータを受信し（Ｓ３０１）、該受信した第３ファックスデータの内容の認証のために前記第３ファックスデータを承認権者コンピュータ４０と前記保存モジュール２２０とに伝送する（Ｓ３０３、Ｓ３０３−１）。
【００７２】
前記認証モジュール２４０は、前記承認権者コンピュータ４０から認証信号を受信し（Ｓ３０５）、前記認証信号を前記保存モジュール２２０に伝送し（Ｓ３０７）、前記フィルタリングモジュール２３０は、前記保存モジュール２２０から出力された前記第３ファックスデータを受信し（Ｓ３０９）、該受信された前記第３ファックスデータに含まれた受信者番号に基づいて、前記第３ファックスデータに対する発信拒否信号または発信許容信号を前記保存モジュールに出力し（Ｓ３１１、Ｓ３１３）、前記保存モジュール２２０が、前記第３ファックスデータに対する前記認証信号及び発信許容信号を受信した場合、前記保存モジュール２２０は、前記送受信モジュール２１０を通じて前記保存モジュール２２０に保存された前記第３ファックスデータを前記ネットワークインターフェース部に伝送し（Ｓ３１５）、前記制御部１４０は、前記保存モジュール２２０から出力されて前記ネットワークインターフェース部１３０を通じて入力された第３ファックスデータを前記ＰＳＴＮインターフェース部１１０を通じて前記ＰＳＴＮに伝送するように制御する（Ｓ３１７、Ｓ３１９）。
【００７３】
本発明は、またコンピュータで読み取り可能な記録媒体にコンピュータで読み取り可能なコードとして具現することが可能である。コンピュータで読み取り可能な記録媒体は、コンピュータシステムによって読み取れるデータが保存されるあらゆる種類の記録装置を含む。本発明は、図面に図示された一実施形態を参考にして説明されたが、これは例示的なものに過ぎず、当業者ならば、これより多様な変形及び均等な他実施形態が可能であるという点を理解できるであろう。したがって、本発明の真の技術的保護範囲は、特許請求の範囲の技術的思想によって決まるべきである。
【産業上の利用可能性】
【００７４】
インターネットまたはイントラネット網が構築された環境で、ファックス装置の代わりに、またはファックス機能に活用されうる。
【図１】
2009543502.tif 000003
【図２】
2009543502.tif 000004
【図３】
2009543502.tif 000005
【図４】
2009543502.tif 000006
【図５】
2009543502.tif 000007
【図６】
2009543502.tif 000008
【国際調査報告】
2009543502.tif 000009
2009543502.tif 000010
2009543502.tif 000011